(57)【特許請求の範囲】
【請求項１】
上方向に延び且つ上端が開口された吸気風路と、この吸気風路の上方に設けられ、上方に回動することによりこの吸気風路の上端開口を開放する蓋体と、この蓋体に設けた案内風路を介して前記吸気風路の上端開口に連通し且つ流入してきた粉塵を捕集する集塵容器と、前記吸気風路の下部からこの吸気風路および前記案内風路を介して前記集塵容器内の空気を吸引する電動送風機と、前記吸気風路に着脱自在に装着される集塵フィルタとを備え、この集塵フィルタは、前記吸気風路の上端開口内に着脱自在に装着され且つ両端が開口し且つ開口面が長方形の筒状フィルタ枠と、このフィルタ枠の開口を閉成するように前記フィルタ枠の内周壁に保持されるとともに、多数の山および谷を有するように波形状に折り畳まれたフィルタ材とを有する電気掃除機において、
前記フィルタ枠の長手方向のほぼ中央に位置するとともに短手方向に対向する前記内周壁間に把持部を架け渡し、
前記フィルタ枠の上部開口端より上方に突出し、且つ、フィルタ枠を着脱するためのつまみ部を前記把持部に形成し、
前記把持部と前記フィルタ材の山の一つとを一体にしたことを特徴とする電気掃除機。
【請求項２】
請求項１に記載の電気掃除機において、前記電気掃除機用集塵フィルタは通気方向が設定されたフィルタ材を備え、前記電気掃除機用集塵フィルタを前記吸気風路の上端開口内に装着される際に前記通気方向が逆になることを防止する誤組付防止手段を設けたことを特徴とする電気掃除機。
【発明の詳細な説明】
【０００１】
【発明の属する技術分野】
この発明は、筒状のフィルタ枠の内周壁に多数の山及び谷を有するように波形状に折り畳まれたフィルタ材が保持された電気掃除機用集塵フィルタ及びこの電気掃除機用集塵フィルタが組み付けられた電気掃除機に関するものである。
【０００２】
【従来の技術】
従来の電気掃除機としては、掃除機本体を有し、この掃除機本体の後部内には電動送風機を内蔵し、掃除機本体の前部には集塵容器を着脱可能に保持させると共に、前端部が集塵容器に連通し、後端部がエア吸込口を介して電動送風機に連通したエア風路を備えたものが知られている。また、この掃除機本体の前部上方には吸込ホースの一端部が接続されるホース接続口が形成されている。そして、吸込ホースの他端部には延長管を介して吸込口体が接続されている。
【０００３】
エア吸込口の内側には所定幅の多数のスリットを有する風路桟板がこのエア吸込口を閉成するように設けられている。そして、風路桟板を通過するエアの流れの上流側に、風路桟板に隣接して集塵フィルタが着脱自在に組み付けられている。
【０００４】
このような電気掃除機では、電動送風機を作動させると、電動送風機の吸込負圧が風路桟板、集塵フィルタ、集塵容器、吸込ホース、延長管を介して吸込口体に作用する。この状態で、吸込口体を被清掃面上で移動操作することにより、被清掃面の塵埃が吸込負圧によりエアとともに吸込口体内に吸い込まれる。そして、この吸い込まれた塵埃を含むエアが延長管及び吸込ホースを通って集塵容器内に流入させられる。
【０００５】
集塵容器内に流入したエア内の塵埃は大半がエアから分離させられて集塵容器に堆積させられる。一方、エアは、集塵容器の上部からエア風路に吸い込まれた後に電動送風機に吸い込まれることになる。このとき、エアは、エア吸込口を介して電動送風機に吸い込まれる。この際、集塵容器内に堆積しなかった残りの塵埃が、エア吸込口に設けられた風路桟板に組み付けられた集塵フィルタに捕捉される。そして、集塵フィルタにより浄化されたエアが風路桟板のスリットを通って電動送風機に吸い込まれることになる。
【０００６】
上述の集塵フィルタとしては、両端に開口が形成された筒状のフィルタ枠と、多数の山及び谷を有するように波形状に折り畳まれたフィルタ材とを備えたものが考えられている。
【０００７】
フィルタ枠はモールド樹脂で形成されており、開口が風路桟板のスリットを覆う大きさに形成されている。そして、波形状に折り畳まれた不織布製のフィルタ材で、このフィルタ枠の開口が閉成されている。この際、フィルタ材の周縁部がフィルタ枠の内周壁に一体にされて、フィルタ材の波形状が保持されている。
【０００８】
また、フィルタ枠の外側には集塵フィルタを着脱自在に組み付ける際に使用される把持部が形成されている。なお、この把持部はエア風路を通過するエアの流れに直交する方向に突出するように形成されている。
【０００９】
【発明が解決しようとする課題】
しかしながら、上述のフィルタ枠は、環状の内周壁の中間部分が外部からの力や風圧によって内側にたわんでしまうことがあった。また、フィルタ枠がたわんで変形すると、このフィルタ枠の内周壁に保持されたフィルタ材の周縁部が内側に圧縮され、隣接する山同士又は谷同士が接触してしまい、フィルタ材の濾過機能を有する表面積が減少して、目詰まりしやすくなるという問題があった。
【００１０】
そこで、この発明の第１の目的は、フィルタ枠の変形を防止してフィルタ材が早めに目詰まりすることなく確実にエアを通過させることができると共に、フィルタ枠の小型化を図ることが可能な電気掃除機用集塵フィルタを提供することにある。
【００１１】
また、この発明の第２の目的は、上述の電気掃除機用集塵フィルタを備えた電気掃除機を提供することにある。
【００１２】
【課題を解決するための手段】
上記第１の目的を達成するため、上方向に延び且つ上端が開口された吸気風路と、この吸気風路の上方に設けられ、上方に回動することによりこの吸気風路の上端開口を開放する蓋体と、この蓋体に設けた案内風路を介して前記吸気風路の上端開口に連通し且つ流入してきた粉塵を捕集する集塵容器と、前記吸気風路の下部からこの吸気風路および前記案内風路を介して前記集塵容器内の空気を吸引する電動送風機と、前記吸気風路に着脱自在に装着される集塵フィルタとを備え、この集塵フィルタは、前記吸気風路の上端開口内に着脱自在に装着され且つ両端が開口し且つ開口面が長方形の筒状フィルタ枠と、このフィルタ枠の開口を閉成するように前記フィルタ枠の内周壁に保持されるとともに、多数の山および谷を有するように波形状に折り畳まれたフィルタ材とを有する電気掃除機において、
前記フィルタ枠の長手方向のほぼ中央に位置するとともに短手方向に対向する前記内周壁間に把持部を架け渡し、
前記フィルタ枠の上部開口端より上方に突出し、且つ、フィルタ枠を着脱するためのつまみ部を前記把持部に形成し、
前記把持部と前記フィルタ材の山の一つとを一体にしたことを特徴とする。
【００１３】
請求項１の発明によれば、フィルタ枠の内周壁間に把持部が架け渡されているので、フィルタ枠の内周壁が把持部に支持され、外部からの力や風圧によって内側にたわむことが防止される。また、フィルタ枠が変形しないため、フィルタ材の波形状が確実に保持され、隣接する山同士又は谷同士が接触することを防ぐことができる。そして、フィルタ材が早めに目詰まって被清掃面上の塵埃が吸い込めなくなったり、電気掃除機が故障するおそれが生じることも防止可能となる。一方、把持部を利用してフィルタ枠のたわみを防止するものであるから、別途フィルタ枠のたわみを防止する構成を必要とせず、フィルタ枠の小型化を図ることができる。
【００１４】
請求項２に係る発明は、請求項１に記載の電気掃除機において、前記電気掃除機用集塵フィルタは通気方向が設定されたフィルタ材を備え、前記電気掃除機用集塵フィルタを前記吸気風路の上端開口内に装着される際に前記通気方向が逆になることを防止する誤組付防止手段を設けたことを特徴としている。
【００２２】
【発明の実施の形態】
図１ないし図３に示すこの発明の電気掃除機１０は、掃除機本体１１を有している。そして、この掃除機本体１１には、後部内に電動送風機１２が内蔵され、前部に集塵容器１３が着脱自在に載置されている。また、掃除機本体１１の上面は蓋体１４により覆われている。この蓋体１４は、後部に形成されたヒンジ１４ａによって掃除機本体１１にヒンジ結合されていて、図２に示すように上方向に開くようになっている。
【００２３】
図３に示すように、電動送風機１２は掃除機本体１１に形成されたほぼ筐体状の電動部１５に収納されている。ここでは、電動送風機１２の吸気口１２ａが掃除機本体１１の前方を向いた状態で収納されている。
【００２４】
集塵容器１３は上方が開放したほぼ円筒形状を呈している。そしてこの集塵容器１３の上部側方にエア流入口１３ａが形成され、上方の開口部には容器フィルタ１３ｂが嵌着されている。この容器フィルタ１３ｂによって集塵容器１３から流れ出るエアに含まれる塵埃を捕集する。
【００２５】
蓋体１４は、平面視がほぼ楕円形に形成されたドーム状の天板１４ｂを有し、この天板１４ｂの周囲に周壁１４ｃが形成されている。天板１４ｂ及び周壁１４ｃの前端部には図示しない吸込ホースの一端を着脱自在に接続する接続口２１ａを有する接続パイプ２１が設けられている。なお、この接続パイプ２１は集塵容器１３の流入口１３ａに連通している。
【００２６】
蓋体１４の内側には、前開口２２Ａと、案内風路２２と、後開口２２Ｂとが形成されている。前開口２２Ａは蓋体１４を閉じたときに下方に向けて開口し、掃除機本体１１の前部に載置された集塵容器１３の容器フィルタ１３ａに対向する。案内風路２２は前端が前開口２２Ａに連通し、後端が後開口２２Ｂに連通し、且つ、掃除機本体１１の前後方向に延びている。後開口２２Ｂは蓋体１４を閉じたときに下方に向けて開口し、後述する掃除機本体１１に設けられたエア吸込口１９に対向する。そして、この前開口２２Ａ及び後開口２２Ｂにはそれぞれシール部材２２ａ、２２ｂが取付けられている。また、蓋体１４を閉じたときに、前開口２２Ａに対向させた容器フィルタ１３ａの周囲がシール部材２２ａと密着してエアが漏れないように気密にされる。一方、後開口２２Ｂに対向させたエア吸込口１９の周囲がシール部材２２ｂと密着してエアが漏れないように気密にされる。
【００２７】
電動送風機１２が収納された電動部１５の前面の下部には、前方へ突出して集塵容器１３を載置する皿状の載置部１６が設けられている。また、この載置部１６の前には集塵容器１３の把持部１３ｃの下部を受ける受部１７が形成されている。電動部１５の側方には、一対の後輪１１ａ、（他方は図示せず）が設けられている。また、載置部１６の底面には前輪１１ｂ（図３参照）が設けられている。さらに、電動部１５の前面の両側には、所定の高さを有すると共に前方へ突出した空洞の排気部１８が形成されている。この排気部１８の外壁には複数の排気孔１８ａが形成されている。排気部１８内の空洞は、図示しない排気風路を介して電動送風機１２の排気口１２ｂと連通し、電動送風機１２の排気口１２ｂから排気されるエアは排気風路を介して排気部１８の排気孔１８ａから外へ排気されるようになっている。そして、電動部１５の上面の前側には、エア吸込口１９が形成されている。このエア吸込口１９内には電気掃除機用集塵フィルタ（以下、集塵フィルタという）３０が着脱自在に嵌合して組み付けられている。また、電動部１５内にはこのエア吸込口１９が下方に延在された吸気風路２０が形成されている。この吸気風路２０の下部は電動送風機１２の吸引口１２ａに連通している。
【００２８】
したがって、集塵容器１３と、電動送風機１２とはエア風路である前開口２２Ａ、案内風路２２、後開口２２Ｂ、吸気風路２０によって、この順に連通され、且つ、後開口２２Ｂ及び吸気風路２０はエア吸込口１９を介して連通している。
【００２９】
ここで、エア吸込口１９は上方が開口した矩形の筒状を呈しており、図４（ａ）に示すように、エア吸込口１９の内側を閉成するように風路桟板２５が設けられている。そして、図３、図４（ｂ）に示すように、この風路桟板２５上に集塵フィルタ３０が組み付けられている。このとき、集塵フィルタ３０の上端とエア吸込口１９の上端が面一になる位置に風路桟板２５が設けられている。この風路桟板２５は後述する集塵フィルタ３０の山３２ａの稜線方向に沿って多数のスリット２５ａが形成されている。そして、ほぼ中央には集塵フィルタ３０の上下方向を間違えて組み付けることを防止する誤組付防止手段として、スリット２５ａに直交する方向に延在する格子部２５ｂが形成されている。
【００３０】
また、接続パイプ２１の下部には、図２に示すように、下方に突出した一対の脚部２３、２３が設けられており、この脚部２３、２３の下部には外方へ突出した係止爪２３ａ，２３ａがそれぞれ形成されている。そして、接続パイプ２１の両側方には一対のボタン２４、（他方は図示せず）が設けられており、このボタン２４、（他方は図示せず）を押すと、脚部２３、２３は互いに内側に移動するようになっている。また、集塵容器１３の把持部１３ｃの上面には、接続パイプ２１の脚部２３、２３の係止爪２３ａ、２３ａが挿入される図示しない係合孔が形成されている。
【００３１】
載置部１６上に集塵容器１３を載置した後に、蓋体１４を閉めると係止爪２３ａ、２３ａが把持部１３ａの係止孔に係合して蓋体１４はロックされるようになっている。このロックの解除は、接続パイプ２１に形成されたボタン２４、（他方は図示せず）を押すことにより行えるようになっている。
【００３２】
＜集塵フィルタ＞
図５（ａ）、（ｂ）に示すように、この発明の集塵フィルタ３０は、上端部３１ａ及び下端部３１ｂが開口した筒状のフィルタ枠３１と、このフィルタ枠３１の開口を閉成すると共に、多数の山３２ａ及び谷３２ｂを有するように波形状に折り畳まれたフィルタ材３２とを備えている。また、フィルタ枠３１には把持部３３が一体に設けられている。
【００３３】
フィルタ枠３１はモールド樹脂製で、横断面がエア吸込口１９に嵌合する大きさの矩形形状を呈している。そして、フィルタ枠３１の内周壁３１ｃにはフィルタ材３２の周縁部３２ｃが一体に保持されている。また、このフィルタ材３１の下端部３１ｂは内側に屈曲されて、リブ３１ｄが形成されている。
【００３４】
フィルタ材３２は、図５（ｄ）に示すように、不織布等の濾過層を有している。ここでは、目の粗い第１濾過層３５ａと、第１濾過層３５ａよりも目の細かい第２濾過層３５ｂとが逢着されている。そして、第１濾過層３５ａがフィルタ枠３１の上端部３１ａに面し、第２濾過層３５ｂがフィルタ枠３１の下端部３１ｂに面するように、このフィルタ材３２はフィルタ枠３１に保持されている。また、このフィルタ材３２にエアが通過する際には、第１濾過層３５ａ、第２濾過層３５ｂの順にエアを通過させる。したがって、この集塵フィルタ３０はフィルタ枠３１の上端部３１ａから下端部３１ｂに向かうようにエアの通気方向が設定されている。なお、このフィルタ材３２は一種類の濾過層だけを有していてもよい。その場合はエアの通気方向は設定されない。
【００３５】
また、フィルタ材３２の山３２ａの稜線方向はフィルタ枠３１の短手方向と同じ向きにされている。なお、フィルタ枠３１に設けられた把持部３３の下部にこのフィルタ材３２の山３２ａの一つが入り込んだ状態で一体にされている。そして、フィルタ材３２の隣接する山３２ａ同士及び谷３２ｂ同士は、それぞれ等距離間隔をあけて離れている。ここでは、このフィルタ材３２の山３２ａはフィルタ枠３１の上端部３１ａよりも上下方向の下側に位置している。そして、フィルタ材３２の谷３２ｂにはフィルタ枠３１のリブ３１ｄが接触している。
【００３６】
把持部３３はフィルタ枠３１と一体に成形されたモールド樹脂により形成されている。この把持部３３はフィルタ枠３１の長手方向のほぼ中央に位置し、このフィルタ枠３１の短手方向に対向する内周壁３１ｃ間に架け渡されている。そして、把持部３３の下端はフィルタ枠３１の上端部３１ａから上下方向のほぼ中央までを閉成するように延びている。なお、把持部３３の下端はフィルタ枠３１の下端部３１ｂまで延在されていてもよい。
【００３７】
また、把持部３３には、図５（ｃ）に示すように、フィルタ枠３１の上端部３１ａより上方に突出するつまみ部３４が形成されている。このつまみ部３４は、ここではフィルタ枠３１の短手方向のほぼ中央に位置し、鉛直方向に上方に突出している。なお、このつまみ部３４は平面視した際に、フィルタ枠３１の内側から突出しないように形成されればよい。つまみ部３４が形成された把持部３３がフィルタ枠３１の内側から突出しないので、フィルタ枠３１が風路桟板２５を覆う大きさに形成され、フィルタ枠３１の小型化を図ることができる。
【００３８】
さらに、把持部３３はフィルタ枠３１の対向する内周壁３１間に架け渡されていれば良く、短手方向に対向する内周壁３１ｃ間に限られない。また、複数箇所に架け渡されてもよい。なお、把持部３３が形成される位置に対応して、風路桟板２５に２５ｂが形成される。
【００３９】
この集塵フィルタ３０を形成するには、フィルタ枠３１及び把持部３３をモールド樹脂により射出形成する際に、周縁部がフィルタ枠３１及び把持部３３を形成する型と一体にされ、且つ、波形状に形成された一対の型の間にあらかじめ不織布等を挟み込んで加熱する。このとき、射出されたモールド樹脂があらかじめ挟み込まれた不織布等の周縁部に染み込んで一体にされる。なお、不織布に熱可塑性樹脂繊維等を織り込むと、フィルタ材３２の形状がさらに保持されやすくなる。
【００４０】
この集塵フィルタ３０をエア吸込口１９に嵌合するには、つまみ部３４を持ってフィルタ枠３１のリブ３１ｄが風路桟板２５上に当接するようにエア吸込口１９中に挿入する。つまみ部３４を持ってエア吸入口１９に集塵フィルタ３０を嵌合させるだけで、エア吸込口１９内を流れるエアを第１濾過層３５ａ、第２濾過層３５ｂの順に通過させることになる。よって、集塵フィルタ３０に設定された通気方向の通りに集塵フィルタ３０を確実に組み付けることができる。
【００４１】
また、フィルタ枠３１の上端部３１ａが風路桟板２５に当接するように、エア吸込口１９に集塵フィルタ３０を挿入しても、つまみ部３４が風路桟部２５に設けられた格子部２５ｂに接触する。つまり、つまみ部３４の厚さＴがスリット２５ａの幅ｔよりも小さく形成されていても、つまみ部３４がスリット２５ａ内に落ち込むことが格子部２５ｂによって確実に防止される。そして、フィルタ枠３１の下端部３１ｂがエア吸込口１９から突出してしまい、集塵フィルタ３０がエア吸入口１９内に収納されない。したがって、フィルタ材３２の第１濾過層３５ａと第２濾過層３５ｂとが反対を向いている状態で集塵フィルタ３０がエア吸込口１９に嵌合されることが容易に防止することができる。
【００４２】
なお、フィルタ材３２が一種類の濾過層を有している場合では、風路桟部２５に格子部２５ｂを形成しなくともよい。また、このとき、つまみ部３４をフィルタ枠３１の上端部３１ａから上方に向かって突出させると共に、下端部３１ｂから下方に向かって突出するように形成してもよい。
【００４３】
また、図６（ａ）に示すように、フィルタ材３２の山３２ａの稜線方向に直交する方向に把持部３４を架け渡してもよい。このフィルタ材３２の山３２ａ稜線方向に直交する方向に架け渡された把持部３４の延在部３４ｂは、フィルタ枠３１の長手方向に対向する内周壁３１ｃ間に架け渡されている。ここでは、フィルタ枠３１の短手方向のほぼ中央に位置している。そして、フィルタ枠３１の上端部３１ａから下端３１ｂ近傍までを閉成するように延びている（図６（ｂ）、図６（ｃ）参照）。
【００４４】
さらに、図７（ａ）に示すように、把持部３７のつまみ部３７ａに誤組付防止手段として凸部３７ｂを形成してもよい。この凸部３７ｂは、フィルタ材３６の山３６ａの稜線方向に直交する方向に突出している。また、この凸部３７ｂは上述の風路桟板２５のスリット２５ａの短手方向の幅ｔを横断する大きさに形成されている（図７（ｂ）参照）。なお、この場合では風路桟板２５に誤組付防止手段として格子部２５ｂを形成しなくともよい。
【００４５】
次に、この電気掃除機１の作用について説明する。
【００４６】
この電気掃除機１０を使用して掃除を行うには、まず掃除機本体１１等に形成された図示しないスイッチを入れて電動送風機１２を稼動させ、吸込負圧を発生させてエアとともに被清掃面上の塵埃を吸い込んで掃除を行う。
【００４７】
電気掃除機１０内に吸い込まれたエアは、図示しない吸込口体から図示しない延長管を介して図３に示すように、まず接続口２１ａから掃除機本体１１内に入り、接続パイプ２１を介して集塵容器１３の内部に入る。集塵容器１３に流入したエアは渦流を発生させ、塵埃の大半はエアから分離して自重により集塵容器１３の下方に堆積させられ、一方、エアは集塵容器１３の上方から排出されて容器フィルタ１３ａを通過する。この容器フィルタ１３ａを通過する際に、集塵容器１３に堆積しなかった塵埃が捕集される。
【００４８】
集塵容器１３の上方から排出されたエアは、集塵容器１３の容器フィルタ１３ａに対向し、シール部材２２ａにより気密にされた前開口２２Ａに吸い込まれる。そして、この前開口２２Ａから延びている案内風路２２及び後開口２２Ｂを介してエア吸込口１９に吸い込まれる。このとき、シール部材２２ｂによって後開口２２Ｂとエア吸込口１９とが密着されて、エアが外部に漏れ出ることはない。
【００４９】
そして、エア吸込口１９に吸気されたエアは、このエア吸込口１９に嵌合された集塵フィルタ３０を通過する。集塵フィルタ３０を通過するエアは、容器フィルタ１３ａでも捕集されなかった塵埃を含んでおり、第１濾過層３５ａ、第２濾過層３５ｂの順にこの集塵フィルタ３０のフィルタ材３２を通過する。ここで、第１濾過層３５ａは第２濾過層３５ｂよりも目が粗いので、エアに含まれた塵埃は、第１濾過層３５ａ及び第２濾過層３５ｂにより粒子の粗いものから順に捕集されてエア中から除去される。
【００５０】
また、この集塵フィルタ３０をエアが通過する際、フィルタ枠３１に風圧によって内側に向かう力が加わったとしても、内周壁３１ｃ間に把持部３３が架け渡されているために、フィルタ枠３１の内周壁３１ｃが内側にたわむことが防止される。したがって、フィルタ枠３１の内周壁３１ｃに一体にされたフィルタ材３２が内側に圧縮されることがなく、フィルタ材３２の隣接する山３２ａ及び谷３２ｂ同士が接触することがない。そして、フィルタ材３２が早期に目詰まったり、電気掃除機１０が故障したりするおそれを防止できる。
【００５１】
さらに、集塵フィルタ３０を通過したエアは、塵埃が十分に除去された後、風路桟板２５に形成されたスリット２５ａを通って、吸気風路２０を通過する。そして、電動送風機１２の吸引口１２ａを介して電動送風機１２内に吸気された後に電動送風機９の排気口１２ｂから排気され、図示しない排気風路を介して排気孔１８ａから外へ排気されていく。
【００５２】
【発明の効果】
以上説明してきたように、請求項１に係る発明よれば、フィルタ枠に外部からの圧力や風圧がかかっても内側にたわむことが防止され、フィルタ枠が変形することがなくなる。
【００５３】
したがって、フィルタ材も周縁部が圧縮されることがなくなって波形状が確実に保持され、フィルタ材が早期に目詰まりすることを防止できる。しかも、把持部を利用して、フィルタ枠の変形を防止するので、小型化を図ることが可能な掃除機用集塵フィルタを提供することができる。
【図面の簡単な説明】
【図１】本発明に係る電気掃除機用集塵フィルタを備えた電気掃除機の全体斜視図である。
【図２】本発明に係る電気掃除機の蓋体開時の全体斜視図である。
【図３】本発明に係る電気掃除機に吸い込まれたエアの流れを示す説明図である。
【図４】（ａ）本発明に係る電気掃除機に設けられたエア吸込口の平面図である。
（ｂ）本発明に係る電気掃除機に設けられたエア吸込口に本願発明に係る電気掃除機用集塵フィルタを組み込んだ場合の平面図である。
【図５】（ａ）本発明に係る電気掃除機用集塵フィルタの平面図である。
（ｂ）図５（ａ）におけるＡ−Ａ断面図である。
（ｂ）図５（ａ）におけるＢ−Ｂ断面図である。
（ｄ）図５（ｂ）におけるＣの拡大図である。
【図６】（ａ）本発明に係る電気掃除機用集塵フィルタの変形例の平面図である。
（ｂ）図６（ａ）におけるＤ−Ｄ断面図である。
（ｃ）図６（ａ）におけるＥ−Ｅ断面図である。
【図７】（ａ）本発明に係る電気掃除機用集塵フィルタの他の変形例の平面図である。
（ｂ）図７（ａ）におけるＦ−Ｆ断面図である。
【符号の説明】
１０      電気掃除機
３０      電気掃除機用集塵フィルタ
３１      フィルタ枠
３１ｃ    内周壁
３２      フィルタ材
３２ａ    山
３２ｂ    谷
３２ｃ    周縁部
３３      把持部
【図１】
0004015838.tif 000002
【図２】
0004015838.tif 000003
【図３】
0004015838.tif 000004
【図４】
0004015838.tif 000005
【図５】
0004015838.tif 000006
【図６】
0004015838.tif 000007
【図７】
0004015838.tif 000008